(57)【要約】【課題】アップライトピアノにソステヌート装置を備えさせようとする試みは従来からなされているが、いずれも、演奏中の手に違和感が生じてしまう。【解決手段】ダンパーレバー７に取付けられ、その下端より下方に突出する剛性のブラケット２５と、その下端より下方に突出するバネ性のフィン４９と、ソステヌートペダルの踏込み操作により回動するソステヌートロッド６３と、その外周面から外方に突出し、ソステヌートロッド６３の回動によりフィン４９の移動経路に出入りする係止突起６５とを備えるソステヌート装置。軽量化と剛性アップの要求に答えており、しかも、作動中に、別の鍵に対応するダンパーレバー７の回動動作を妨げず、演奏中の手に違和感は生じない。【選択図】  図１
2010217626.tif 000002
【特許請求の範囲】
【請求項１】
鍵の押下げ操作によりダンパーレバーを弦から離れる方向に回動させるダンパー機構を備えるアップライトピアノのソステヌート装置において、
前記ダンパーレバーに取付けられ、前記ダンパーレバーの下端より下方に突出する剛性のブラケットと、前記ブラケットに取付けられ、前記ブラケットの下端より下方に突出するバネ性のフィンと、ソステヌートペダルの踏込み操作により回動するソステヌートロッドと、前記ソステヌートロッドの外周面から外方に突出し、前記ソステヌートロッドの回動により前記フィンの移動経路に出入りする係止突起とを備えることを特徴とするソステヌート装置。
【請求項２】
請求項１に記載したアップライトピアノのソステヌート装置において、
ブラケットは水平部分を有するアングル材で構成されていることを特徴とするソステヌート装置。
【請求項３】
請求項２に記載したアップライトピアノのソステヌート装置において、
フィンも水平部分を有するアングル材で構成されており、前記ブラケットの水平部分に前記フィンの水平部分が上側から当てられて取付けられていることを特徴とするソステヌート装置。
【請求項４】
請求項１から３のいずれかに記載したアップライトピアノのソステヌート装置において、
ブラケットの下部は先細り状になっていることを特徴とするソステヌート装置。
【請求項５】
請求項１から４のいずれかに記載したアップライトピアノのソステヌート装置において、
ブラケットには貫通孔が形成されていることを特徴とするソステヌート装置。
【請求項６】
請求項１から５のいずれかに記載したアップライトピアノのソステヌート装置において、
ソステヌートロッドの係止突起に当接され係止されるフィン部分にマイクロファイバーが絡み合う三次元不織布が取付けられていることを特徴とするソステヌート装置。
【発明の詳細な説明】
【技術分野】
【０００１】
本発明は、アップライトピアノのソステヌート装置に関するものである。
【背景技術】
【０００２】
グランドピアノには、ソステヌートペダルの踏込み操作により、特定の鍵の発音を長く持続させるソステヌート装置が通常備えられている。このソステヌート装置が備えられたことにより、ある鍵の発音を持続しながら、次の鍵を弾いてその演奏音も発することができ、演奏テクニック上の有利な効果を得ることができる。
アップライトピアノにも、特許文献１に記載のように、ソステヌート装置が備えられたものはある。
【先行技術文献】
【特許文献】
【０００３】
【特許文献１】特開昭６３−４０１９６号公報
【発明の概要】
【発明が解決しようとする課題】
【０００４】
しかしながら、ソステヌート装置が備えられたアップライトピアノは、いずれも、ダンパー機構に影響を与えるので、演奏中手に違和感が生じてしまう。
それ故、アップライトピアノに関しては、ソステヌート装置について未だ積極的には活用されていない。
【０００５】
本発明は、上記課題を解決するために、演奏中手に違和感が生じないように工夫されたアップライトピアノ用のソステヌート装置を提供することを目的とする。
【課題を解決するための手段】
【０００６】
本発明は上記課題を解決するためになされたものであり、請求項１の発明は、鍵の押下げ操作によりダンパーレバーを弦から離れる方向に回動させるダンパー機構を備えるアップライトピアノのソステヌート装置において、前記ダンパーレバーに取付けられ、前記ダンパーレバーの下端より下方に突出する剛性のブラケットと、前記ブラケットに取付けられ、前記ブラケットの下端より下方に突出するバネ性のフィンと、ソステヌートペダルの踏込み操作により回動するソステヌートロッドと、前記ソステヌートロッドの外周面から外方に突出し、前記ソステヌートロッドの回動により前記フィンの移動経路に出入りする係止突起とを備えることを特徴とするソステヌート装置である。
【０００７】
請求項２の発明は、請求項１に記載したアップライトピアノのソステヌート装置において、ブラケットは水平部分を有するアングル材で構成されていることを特徴とするソステヌート装置である。
【０００８】
請求項３の発明は、請求項２に記載したアップライトピアノのソステヌート装置において、フィンも水平部分を有するアングル材で構成されており、前記ブラケットの水平部分に前記フィンの水平部分が上側から当てられて取付けられていることを特徴とするソステヌート装置。
【０００９】
請求項４の発明は、請求項１から３のいずれかに記載したアップライトピアノのソステヌート装置において、ブラケットの下部は先細り状になっていることを特徴とするソステヌート装置である。
【００１０】
請求項５の発明は、請求項１から４のいずれかに記載したアップライトピアノのソステヌート装置において、ブラケットには貫通孔が形成されていることを特徴とするソステヌート装置である。
【００１１】
請求項６の発明は、請求項１から５のいずれかに記載したアップライトピアノのソステヌート装置において、ソステヌートロッドの係止突起に当接され係止されるフィン部分にマイクロファイバーが絡み合う三次元不織布が取付けられていることを特徴とするソステヌート装置である。
【発明の効果】
【００１２】
本発明のアップライトピアノのソステヌート装置によれば、演奏中手に違和感を生じさせない。
【図面の簡単な説明】
【００１３】
【図１】本発明の実施の形態に係るアップライトピアノのダンパー機構とソステヌート装置を示す斜視図である。
【図２】図１の分解斜視図である。
【図３】図１のブラケットの側面図と正面図である。
【図４】図１のソステヌート装置の作動前と作動中の状態変化を比較説明する側面図である。
【図５】図１のソステヌート装置の作動中に別の鍵を押下げてダンパー機構を作動したときの状態を説明する斜視図である。
【図６】別例のブラケットの斜視図である。
【図７】図６のブラケットの側面図と正面図である。
【発明を実施するための形態】
【００１４】
本発明の実施の形態に係るアップライトピアノのソステヌート装置を、図１から図５にしたがって説明する。
図１にアップライトピアノ１のダンパー機構やソステヌート装置に関わる要部が示されている。アップライトピアノ１のダンパー機構は周知のものであり、ダンパーレバーレール３に取付けられた支持部材５に対してダンパーレバー７がピン９によって弦１１に向けて回動自在に支持されている。このダンパーレバー７の上端部からは上方に向かってダンパーワイヤー１３が延び、このダンパーワイヤー１３の先端にはダンパーヘッド１５と一体になったダンパーブロック１７が取付けられている。ダンパーヘッド１５には弦１１に当接する側にダンパーフェルト１９が設けられている。また、ダンパーレバー７と支持部材５とに両端が固定されたダンパーレバースプリング２１が設けられており、ダンパーレバースプリング２１によりダンパーレバー７はダンパーヘッド１５のダンパーフェルト１９が弦１１に当接する方向に付勢されている。なお、図示されていないが、ダンパーレバー７に相対してストップレールが設けられている
【００１５】
上記の構成のダンパー機構を有するアップライトピアノ１に、以下の構成のソステヌート装置が備えられている。
支持部材５より下側に位置するダンパーレバー７の下部は弦１１に相対しない側の面が切欠かれて平坦な段差部２３が形成されている。
【００１６】
符号２５はブラケットを示し、このブラケット２５は縦長矩形の板材の下部を２回略直角に屈曲させてなる断面略Ｚ字状のアングル材で構成されている。ブラケット２５は剛性の鋼材で形成されている。
図３に示すように、ブラケット２５は上下方向で分けると３つの部分で構成されており、上側部分２７と中間部分２９は断面略Ｉ字状の部分である。上側部分２７と中間部分２９は境界で若干屈曲されており、図３の側面図で見て、境界部分２８が右方向に凸となる山状になっている。下側部分３１は断面略Ｌ字状になっているが、上下に延びた部分は若干右上方向に持ち上がっており、屈曲角度は９０°より若干大きくなっている。
また、図３の正面図に示すように、ブラケット２５の上側部分２７の下端側から下側部分３１の下端に向かって僅かではあるが徐々に幅狭になっている。
【００１７】
このブラケット２５は、Ｌ字状に屈曲した下側部分３１が弦１１と反対側に突出するように配置された状態で、上側部分２７が上記した段差部２３に当てられており、ボルト３３、ナット３５で構成されたボルト・ナット締結手段のボルト３３がブラケット２５側から予め形成されたブラケット側挿通穴３７とダンパーレバー側挿通穴３９に挿通され、締結されて固定されている。ブラケット２５の板厚寸法は段差部２３の凹み寸法と略同じになっており、段差部２３に入り込んだブラケット２５とダンパーレバー７との間には殆ど段差は形成されない。
【００１８】
符号４１はレバーフェルトを示し、このレバーフェルト４１は帯状をしており、幅寸法はブラケット２５の幅寸法と略同じになっている。レバーフェルト４１によって、ダンパーレバー７の下部とブラケット２５の上側部分２７が覆われている。レバーフェルト４１上にはさらに角形のロッドフェルト４３とスプーンフェルト４５が上下に配されている。
【００１９】
符号４７はブラケット用スキンを示し、このブラケット用スキン４７は帯状をしており、その幅方向の寸法はブラケット２５の幅方向の寸法と略同じになっている。ブラケット用スキン４７として、マイクロファイバーが絡み合う三次元不織布のうち特に「登録商標：エクセーヌ」で販売されている製品（東レ株式会社製造）を使用する。この製品は天然スエードと同じような構造の人工皮革である。この製品はフェルトより磨耗に強い。
ブラケット用スキン４７はブラケット２５の下側部分３１の正面側（図３の正面図で見える側）の大部分を殆ど覆った後下端で背面側に折り返され、背面側も若干だが覆っている。
【００２０】
符号４９はフィンを示し、このフィン４９は帯状の板バネ材で形成されている。フィン４９の幅寸法はブラケット２５の幅寸法より若干小さくなっている。フィン４９は途中で屈曲されてＬ字状のアングル材になっており、長い部分が上下方向を向くように配される。なお、上下に延びた長い部分は若干右上方向に持ち上がって、屈曲角度は９０°より若干大きくなっている。従って、フィン４９の屈曲部分の屈曲角度はブラケット２５の下側部分３１の屈曲角度と略同じになっている。また、長い部分は下端に向かって徐々に幅狭になっている。
符号５１はフィン用スキンを示し、このフィン用スキン５１は帯状をしており、その幅方向の寸法はフィン４９の幅方向の寸法と略同じになっている。フィン用スキン５１としてブラケット用スキン４７と同じ製品が使用されている。
フィン用スキン５１はフィン４９の正面側の下部を覆った後下端で背面側に折り返され、背面側も正面側と同様の長さだけ覆われている。
【００２１】
ブラケット２５のＬ字状の下側部分３１の水平部分に、Ｌ字状のフィン４９の水平部分が上側から当てられ、上下部分も重ね合わされて、それぞれの屈曲部分が相対している。また、フィン４９はブラケット２５を超えて下方に延びており、フィン４９のスキン５１で覆われた部分が丁度下方に延出している。
ブラケット２５に対して、フィン４９は、ボルト５３、ナット５５、座金５７で構成されたボルト・ナット締結手段のボルト５３がフィン４９側から予め水平部分に形成されたフィン側挿通穴５９とブラケット側挿通穴６１に挿通され、締結されて固定されている。
【００２２】
符号６３は円柱状のソステヌートロッドを示し、このソステヌートロッド６３は全ての弦１１のためのダンパー機構を横切って延びるように配されている。ソステヌートロッド６３はソステヌートペダル（図示省略）の踏込み操作により図１等の矢印に示すように、反時計方向に回動するようになっている。
ソステヌートロッド６３の外周面には係止突起６５が一体に形成されている。この係止突起６５はソステヌートロッド６３の両端近くまで延在しており、断面形状は同じになっている。ソステヌートペダルの踏込み操作によりソステヌートロッド６３が回動したときには係止突起６５がソステヌートロッド６３上に起立した姿勢になるが、このときの左側の面は略平坦面６７になっており、右側の面は外方に向かって膨出した湾曲面６９になっている。
ソステヌートロッド６３は上方に位置するフィン４９に近接しており、ソステヌートロッド６３の回動により係止突起６５がフィン４９の移動経路に出入りできるようになっている。
【００２３】
次にアップライトピアノ１に備えられたソステヌート装置の作動前と作動中の状態変化を、図４にしたがって説明する。
演奏時にある鍵を押下げると、ダンパースプーン（図示省略）がスプーンフェルト４５に当接して、ダンパーレバー７がダンパーレバースプリング２１の付勢力に抗して時計回りに回動し、ダンパーヘッド１５のダンパーフェルト１９が弦１１から離れる。同時に、打弦機構のハンマー（図示省略）により弦１１が打弦されて発音される。その後、当該鍵を離して復帰させると、ダンパーレバー７がダンパーレバースプリング２１の付勢力によって初期状態に戻るため、ダンパーヘッド１５のダンパーフェルト１９が弦１１に当接して当該鍵に対応する弦１１の振動を抑制して止音する。
【００２４】
しかしながら、当該鍵の発音を持続させたい場合には、従来と同じように当該鍵を押下げ、そのままの状態を保ちつつソステヌートペダルを踏込み操作する。すると、ソステヌート装置が作動して、ソステヌートロッド６３が矢印に示すように反時計回りに回動して、係止突起６５が上記した起立姿勢になり、踏込み中はその起立姿勢が保持される。起立姿勢では、係止突起６５はフィン４９の移動経路内にある。従って、当該鍵を離して復帰させても、当該鍵のダンパーレバー７に一体に取付けられたフィン４９は係止突起６５の略平坦面６７に当接して係止されるため、ダンパー機構は働かず、当該鍵に対応する弦１１は開放状態に放置される。従って、当該鍵に対応する弦１１の発音は持続する。なお、当該鍵を再び押下げて改めて発音させることはできる。
ソステヌートペダルの踏込み操作を解除すると、ソステヌート装置の作動は解除され、ソステヌートロッド６３は時計回りに回動して、係止突起６５はフィン４９の移動経路から出て待機位置まで戻る。従って、当該鍵に対応するダンパーレバー７についても再びダンパー機構が働くようになる。
【００２５】
ソステヌート装置の作動中に別の鍵を押下げてダンパー機構を作動したときの状態を、図５にしたがって説明する。
ソステヌート装置が作動している状態で、別の鍵を押下げると、その鍵に対応するダンパーレバー７に一体に取付けられているフィン４９は係止突起６５の湾曲面６９に当接して弾性的に逃げられる。従って、その鍵に対応するダンパーレバー７自体は時計回りに十分に回動して、その鍵についてはダンパー機構を働かせることができる。
【００２６】
上記のソステヌート装置によれば、ブラケット２５の中間部分２９と下側部分３１が下方に向かって先細りになっているので、軽量化が図れている。また、ブラケット２５が平坦な板材を屈曲させたアングル材で構成されているので、板材をそのままダンパーレバー７に取付けた場合より、ピン９からの距離が短くなっている。従って、慣性モーメントが小さくなっており、ダンパーレバー７を回動させたときに、ダンパーレバー７がバタバタと踊るようなことはない。従って、演奏中の手に違和感が生じない。
また、ブラケット２５は十分な大きさを有する剛性の材料で構成され、しかも、曲げ加工されて加工硬化が期待できるアングル材が使用されているので、撓み難く、演奏中の手にべたつくような違和感が生じることもない。
【００２７】
さらに、ソステヌート装置の作動中に、別の鍵が押下げられたときにはその鍵に対応するダンパーレバー７に取付けられたバネ性のフィン４９が係止突起６５の湾曲面６９に当接して弾性的に逃げられるので、鍵の押下げ操作が重くなったりすることはない。このフィン４９はアングル材が使用されており、ブラケット２５に固定された部分から長く延出しているので、強過ぎもせず弱過ぎもしない適度な強さのバネ性が安定して得られる。
【００２８】
図６、図７に別例のブラケット７１を示す。このブラケット７１は貫通孔７３が複数上下方向に形成されていることを除いては、ブラケット２５と同じである。このように貫通孔７３を形成することによってより一層軽量化が図れている。
【００２９】
以上、本発明の実施の形態について詳述してきたが、具体的構成は、この実施の形態に限られるものではなく、本発明の要旨を逸脱しない範囲における設計の変更などがあっても発明に含まれる。
例えば、上記の実施の形態ではナットを使用しているが、ブラケットにネジ山を切ってナットを使わないように変更して、更なる軽量化を図ってもよい。
また、上記の実施の形態では、ダンパーレバーはダンパーレバーレールに取付けられているが、センターレールに取付けてもよい。
【産業上の利用可能性】
【００３０】
本発明のソステヌート装置を備えたアップライトピアノは、ソステヌート装置を作動させても、実用の演奏に耐えられる。
【符号の説明】
【００３１】
１‥アップライトピアノ
３‥ダンパーレバーレール          ５‥支持部材
７‥ダンパーレバー                ９‥ピン
１１‥弦                          １３‥ダンパーワイヤー
１５‥ダンパーヘッド              １７‥ダンパーブロック
１９‥ダンパーフェルト            ２１‥ダンパーレバースプリング
２３‥段差部                      ２５‥ブラケット
２７‥上側部分                    ２８‥境界部分
２９‥中間部分                    ３１‥下側部分
３３‥ボルト                      ３５‥ナット
３７‥ブラケット側挿通穴          ３９‥ダンパーレバー側挿通穴
４１‥レバーフェルト              ４３‥ロッドフェルト
４５‥スプーンフェルト            ４７‥ブラケット用スキン
４９‥フィン                      ５１‥フィン用スキン
５３‥ボルト                      ５５‥ナット
５７‥座金                        ５９‥フィン側挿通穴
６１‥ブラケット用挿通穴          ６３‥ソステヌートロッド
６５‥係止突起                    ６７‥略平坦面
６９‥湾曲面
７１‥ブラケット（別例）          ７３‥貫通穴
【図１】
2010217626.tif 000003
【図２】
2010217626.tif 000004
【図３】
2010217626.tif 000005
【図４】
2010217626.tif 000006
【図５】
2010217626.tif 000007
【図６】
2010217626.tif 000008
【図７】
2010217626.tif 000009